(57)【要約】  【課題】浄水システム（２００）を提供する。  【解決手段】浄水システム（２００）は、タンクセクション（２８０）と膜セクション（２６０）とを含み、タンクセクション（２８０）は膜セクション（２６０）に対して浄水システム（２００）を収納するための位置についての特異的要件に適合するように配置することができる。  【選択図】図１
2013503745.tif 000002
【特許請求の範囲】
【請求項１】
タンクセクションと膜セクションとからなるスキッドを含む浄水システム。
【請求項２】
前記タンクセクションを、膜セクションに対して、浄水システムを収納するための位置についての特異的要件に適合するように配置することができる、請求項１記載のスキッド。
【請求項３】
タンク、モータスタータ、逆洗／ＣＩＰポンプ及びブースター／ＣＩＰポンプをさらに含む、請求項２記載のタンクセクション。
【請求項４】
前記タンクが、ＵＦ透過液分解タンクとして機能し、逆洗／ＣＩＰポンプ及びブースター／ＣＩＰポンプに対する供給源として機能する、請求項３記載のタンクセクション。
【請求項５】
前記モータスタータが、可変周波数ドライバである、請求項３記載のタンクセクション。
【請求項６】
ＲＯ装置、ＵＦ装置、電気キャビネット、モータスタータ、ＲＯ高圧ポンプ、透過液配管網及び濃縮液配管網をさらに含む、請求項２記載の膜セクション。
【請求項７】
前記モータスタータが可変周波数ドライバである、請求項６記載の膜セクション。
【請求項８】
ＲＯ回収装置をさらに含む、請求項６記載の膜セクション。
【請求項９】
浄水システムを配備する方法であって、
タンクセクションと膜セクションを有する浄水システム用スキッドを準備するステップと、
前記スキッドのタンクセクションを、膜セクションに対して、浄水システムを収納するための位置についての特異的要件に適合するように配置するステップと
を含む方法。
【請求項１０】
前記タンクセクションが、タンク、モータスタータ、逆洗／ＣＩＰポンプ及びブースター／ＣＩＰポンプからなる、請求項９記載の方法。
【請求項１１】
前記タンクが、ＵＦ透過液分解タンクとして機能し、逆洗／ＣＩＰポンプ及びブースター／ＣＩＰポンプに対する供給源として機能する、請求項１０記載の方法。
【請求項１２】
前記膜セクションが、ＲＯ装置、ＵＦ装置、電気キャビネット、モータスタータ、ＲＯ高圧ポンプ、透過液配管網及び濃縮液配管網からなる、請求項９記載の方法。
【請求項１３】
前記膜セクションがさらにＲＯ回収装置を含む、請求項１２記載の方法。
【発明の詳細な説明】
【技術分野】
【０００１】
本発明は浄水システムに関する。特に、本発明は単一スキッド上に設置される浄水システムに関する。
【背景技術】
【０００２】
従来的に、限外濾過及び逆浸透浄水システムでは、限外濾過及び逆浸透の両システム用に複数のスキッドを用いる。大抵は、限外濾過システムが１つのスキッド上に設置され、逆浸透システムが第２のスキッド上に設置される。
【先行技術文献】
【特許文献】
【０００３】
【特許文献１】フランス特許第２８９４２４５号
【発明の概要】
【課題を解決するための手段】
【０００４】
本発明は、スキッドを含む浄水システムに関し、このスキッドは、タンクセクションと膜セクションとを有し、タンクセクションは、膜セクションに対して、浄水システムを収納するための位置についての特異的要件に適合するように配置することができる。
【図面の簡単な説明】
【０００５】
【図１】本発明の一実施形態に係る浄水システム用スキッドの膜セクションの図である。
【図２】本発明の一実施形態に係る浄水システム用スキッドのタンクセクションの図である。
【図３】本発明の一実施形態に係る浄水システム用スキッドの膜セクションの別の図である。
【図４】本発明の一実施形態に係る浄水システム用スキッドの膜セクションの別の図である。
【図５】本発明の一実施形態に係る浄水システム用スキッドのタンクセクションの別の図である。
【図６】本発明の一実施形態による限外濾過／逆浸透生産モードで動作する浄水システムの概略図である。
【図７】本発明の一実施形態による限外濾過逆洗／逆浸透生産モードで動作する浄水システムの概略図である。
【図８】本発明の一実施形態による限外濾過日常メンテナンス洗浄モードで動作する浄水システムの概略図である。
【図９】本発明の一実施形態による限外濾過日常メンテナンスリンスモードで動作する浄水システムの概略図である。
【図１０】本発明の一実施形態による限外濾過月次回収洗浄再循環及びソークモードで動作する浄水システムの概略図である。
【図１１】本発明の一実施形態による限外濾過月次回収洗浄リンスモードで動作する浄水システムの概略図である。
【図１２】本発明の一実施形態による逆浸透３ヶ月毎洗浄モードで動作する浄水システムの概略図である。
【図１３】本発明の一実施形態による逆浸透３ヶ月毎リンスモードで動作する浄水システムの概略図である。
【発明を実施するための形態】
【０００６】
本発明の上記その他の態様が、構成及び実施例の詳細を示す図面と併せて、本明細書の記述及び特許請求の範囲から理解されよう。
【０００７】
本明細書及び請求項で用いる近似表現は、数量を修飾し、その数量が関係する基本機能に変化をもたらさない許容範囲内で変動しうる数量を表現する際に適用される。したがって、「約」のような用語で修飾された値はその厳密な数値に限定されない。場合によっては、近似表現は、その値を測定する機器の精度に対応する。本明細書に記載された範囲の上下限は、互いに結合及び／又は入れ替えることができ、そうした範囲が特定されていても、文言上又は文脈から別途明らかでない限り、その範囲内に属するあらゆる中間範囲が包含される。実施例又は別途明示されていない限り、成分、反応条件などの量に関する数又は表記はすべて、すべての例で用語「約」で修飾されていると理解すべきである。
【０００８】
「任意の」又は「任意には」という用語は、その用語に続いて記載された事象又は状況が起きても起きなくてもよいこと、或いはその用語に続いて記載された材料が存在しても存在しなくてもよいことを意味しており、かかる記載はその事象又は状況が起こる場合と起こらない場合並びにその材料が存在する場合と存在しない場合とを包含する。
【０００９】
本明細書で用いる「含む」、「備える」及び「有する」という用語は内包的なものであり、記載した構成要素以外の追加の要素が存在していてもよいことを意味する。例えば、一群の構成要素を含むプロセス、方法、製品又は装置は、必ずしもそれらの構成要素に限定されるものではなく、そうしたプロセス、方法、製品又は装置の明示されていない又はそれらに固有の他の構成要素を含んでいてもよい。
【００１０】
単数形で記載したものであっても、前後関係から明らかでない限り、複数の場合も含めて意味する。
【００１１】
これより図１〜図５を参照するが、浄水システム２００は、タンクセクション２８０と膜セクション２６０からなる単一のスキッド２５０上に配置される。タンクセクション２８０は、膜セクション２６０に対して、浄水システム２００を収納するための位置についての特異的要件に適合するように配置することができる。
【００１２】
タンクセクション２８０は、タンク２０３と逆洗／定置洗浄（「ＣＩＰ」）ポンプ２１５とブースター／定置洗浄（「ＣＩＰ」）ポンプ２１４と逆洗／定置洗浄（「ＣＩＰ」）ポンプ２１５及びブースター／定置洗浄（「ＣＩＰ」）ポンプ２１４用のモータスタータ２８１とを有する。タンク２０３は、限外濾過（「ＵＦ」）ユニット２０１の透過液分解タンクとして機能し、逆洗／ＣＩＰポンプ２１５及びブースター／ＣＩＰポンプ２１４に対する供給源として機能するという点で多機能である。
【００１３】
膜セクション２６０は、逆浸透（「ＲＯ」）ユニット２０２とＵＦユニット２０１とプログラマブルロジックコントローラ（「ＰＬＣ」）及びヒューマンマシンインタフェース（「ＨＭＩ」）を収容する電気キャビネット２６５と、モータスタータ２６６と、ＲＯ高圧ポンプ２１９と、透過液配管２６４と、濃縮液配管２６３とを有する。モータスタータ２６６及び２８１は、可変周波数ドライバ（「ＶＦＤ」）であってもよいと考えられる。
【００１４】
浄水システム２００は、図６〜図１３のモード１〜５の概略図に示すように、水源２２０と濃縮液配管２６３と透過液配管２６４とを含む。さらに、ＵＦユニット２０１は、ＲＯユニット２０２を介して連続流を供給可能な大きさである。任意には、膜セクション２６０に、ＲＯ回収ユニット２２２を含めてもよい。タンク２０３は、ＲＯユニット２０２、任意のＲＯ回収ユニット２２２及びＵＦユニット２０１から流入水を受け入れる。
【００１５】
別の言い方をすれば、ＵＦユニット２０１、ＲＯユニット２０２、逆洗／ＣＩＰポンプ２１５及びブースター／ＣＩＰポンプ２１４、関連ある配管及び計装、並びにタンク液面制御装置（「ＬＣ」）は、単一のスキッド２５０又はフレーム上に配置されており、浄水システム２００が、望ましい小さなフットプリントを有するコンパクトな形に組み立てられるようになっている。一実施形態では、スキッド２５０が、タンクセクション２８０と膜セクション２６０を有し、タンクセクション２８０は、膜セクション２６０に対して、浄水システム２００を収納するための位置についての特異的要件に適合するように配置することができる。タンク２０３とＲＯユニット２０２及びＵＦユニット２０１とを接続する関連の配管の構造は、スキッド２５０の膜セクション２６０に対するタンクセクション２８０の相対的な位置に応じたものになる。浄水システム２００の幾つかの実施形態では、約１００ガロン／分〜約３００ガロン／分の水を処理できると考えられる。さらに、浄水システム２００の別の実施形態では、約５０ガロン／分〜約５００ガロン／分の水を処理できると考えられる。
【００１６】
単一のスキッド２５０上に浄水システム２００を配備する方法は、タンクセクション２８０と膜セクション２６０とを有する浄水システム用スキッド２５０を準備するステップと、スキッド２５０のタンクセクション２８０を、膜セクション２６０に対して、浄水システム２００を収納するための位置についての特異的要件に適合するように配置するステップとを含み得る。特異的要件としては、水源の位置、ドレンの位置、部屋の大きさ、空間の形状及び室内の既存設備が含まれる。
【００１７】
図６〜図１３のモード１〜５に示す浄水システム２００は、限外濾過膜ユニット２０１、逆洗／定置洗浄ポンプ２１５、ブースター／定置洗浄ポンプ２１４、逆浸透高圧ポンプ２１９、ＲＯユニット２０２、タンク２０３及びタンク液面制御装置２１８を含む。ＵＦユニット２０１は、ＲＯユニット２０２を介して連続流を供給可能な大きさである。このシステムは、任意にはＵＦ給水ポンプ２１７、前置フィルタ２１６及びＲＯ回収ユニット２２２を含む。タンク２０３は、ＲＯユニット２０２、ＲＯ回収ユニット２２２及びＵＦユニット２０１からの流入水を受け入れる。さらに、タンク２０３は、ＵＦ透過液分解槽としての役割と、逆洗／ＣＩＰポンプ２１５及びブースター／ＣＩＰポンプ２１４に対する供給源としての役割を果たすという点で多機能である。ＬＣ２１８は、各モードにおけるタンク２０３内の液面の監視と制御に用いられる。図６〜図１３では、各図面に示すモードで使用される導管を太線で、使用される部品を網掛けで、そして使用されない部品を斜線で示す。
【００１８】
図６〜図１３に示すように、ＵＦユニット２０１とタンク２０３はいずれも、別々のドレン２２１及び２２３を有する。通常、ＵＦユニット２０１、タンク２０３、ＲＯユニット２０２及びＲＯ回収ユニット２２２の内容物は、雑排水ドレン内に排出される。しかし、これらの内容物が雑排水と同様に処理できない酸又はその他の物質を含む場合は、内容物は中和タンク内に排出される。さらに、幾つかの実施形態では、ＲＯユニット透過液、ＲＯユニット濃縮液、ＲＯ回収ユニット透過液及びＲＯ回収ユニット濃縮液が、別々のドレン管路を有することが考えられる。
【００１９】
ＵＦ／ＲＯ生産モードであるモード１を示す図６を参照すると、ＵＦ給水ポンプ２１７は、水源２２０の水を、前置フィルタ２１６とＵＦユニット２０１に通す。運転導管２０４は、ＵＦ透過液をタンク２０３に導く。ＲＯ導管２１０は、ＵＦ透過液をタンク２０３からブースター／ＣＩＰポンプ２１４、ＲＯ高圧ポンプ２１９、そしてＲＯユニット２０２へと導く。透過液は、ＲＯユニット２０２から生産水として流出し、ＲＯユニット濃縮液は任意のＲＯ回収ユニット２２２内に送られる。ＲＯ回収ユニット透過液はＲＯ回収導管２０６からタンク２０３に戻り、ＲＯ回収ユニット濃縮液はＲＯ／ＲＯ回収ドレン２２４内へと導かれる。
【００２０】
加えて、ＲＯユニット濃縮液をＲＯ／ＲＯ回収ドレン２２４内へと導くことにより、任意のＲＯ回収ユニット２２２をバイパス可能である。システムが任意のＲＯ回収ユニット２２２を内蔵しない場合は、ＲＯユニット濃縮液はＲＯ／ＲＯ回収ドレン２２４内へと導かれる。
【００２１】
ＵＦユニット逆洗及びＲＯユニット生産モードであるモード２を示す図７を参照すると、システムは、タンク２０３の内容物を用いた逆洗モード運転と、ＲＯユニット２０２を用いた生産水の生産とを同時に行う。したがって、タンク２０３は、逆洗モードにおける連続的なＲＯ動作が可能な大きさである。逆洗モードにおいて、逆洗／ＣＩＰポンプ２１５は、ＵＦ透過液をタンク２０３から逆洗導管２０５を介して逆方向にＵＦユニット２０１へと導く。ＵＦ透過液は、その後、ＵＦユニット２０１から流出し、ＵＦユニットドレン２２１へと導かれる。
【００２２】
さらに、モード２において、ＲＯ導管２１０は、タンク２０３からの流体をブースター／ＣＩＰポンプ２１４とＲＯ高圧ポンプ２１９とを介してＲＯユニット２０２へと導く。ＲＯユニット透過液は、生産水として流出し、ＲＯユニット濃縮液はＲＯ回収ユニット２２２へと送られる。ＲＯ回収ユニット透過液は、ＲＯ回収導管２０６を介してタンク２０３に戻され、ＲＯ回収ユニット濃縮液はＲＯ／ＲＯ回収ドレン２２４へと導かれる。システムが任意のＲＯ回収ユニット２２２を内蔵しない場合は、ＲＯユニット濃縮液はＲＯ／ＲＯ回収ドレン２２４へと導かれる。
【００２３】
この好適な実施形態では、システムは回収及び給水に基づいて約３０分毎にモード２に入る。モード２の期間は、プレエアレーションと逆洗／ＣＩＰポンプ２１５の立上り及び立下りと、ＵＦ給水ポンプ２１７の立上り及びリンスとを含めて約１２０秒である。次の表に、ひとつの考えられる逆洗プロセスモード２の詳細を示すが、これに代わるものも考えられる。この表では、幾つかの実施形態に含まれると考えられるＵＦユニット洗浄ブロワ等のエアレーション設備の使用が検討されている。
【００２４】
【表１】
2013503745.tif 000003
モード３を示す図８を参照すると、システムはＵＦ日常メンテナンス洗浄モードにある。ＵＦ日常メンテナンス洗浄モードでは、薬品供給管路２０８を介してタンク２０３の内容物に薬品を添加することにより洗浄液をタンク２０３内で作製する。このような薬品として、無機性ファウリングの抑制に役立つクエン酸又はリン酸と、有機性ファウリングの抑制に役立つ次亜塩酸塩とが挙げられる。逆洗／ＣＩＰポンプ２１５は、洗浄液をタンク２０３からＵＦ洗浄導管２０７へと導き、ＵＦ洗浄導管２０７は洗浄液を上流から下流の方向に沿ってＵＦユニット２０１を介して導いた後に再びタンク２０３に戻す。日常メンテナンス洗浄モード中は通常、ＲＯユニット２０２の運転は停止する。
【００２５】
モード３ａに続いて、システムは、図９に示すモード３ｂの日常メンテナンスリンスモードになる。日常メンテナンスリンスモードにおいて、ＵＦ給水ポンプ２１７は、水源２２０の水をＵＦリンス導管２１２を介して送り、ＵＦリンス導管２１２は、水源２２０の水を上流から下流の方向に前置フィルタ２１６とＵＦユニット２０１とを介してタンク２０３内へと導く。日常メンテナンスリンスモードで用いるリンス液は、ＵＦユニットドレン２２１とタンクドレン２２３から排出される。また、このリンスモード中は通常、ＲＯユニット２０２の運転は停止する。
【００２６】
日常メンテナンス洗浄はＵＦ膜の寿命を延ばす。この好適な実施形態では、モード３ａ〜ｂの期間は、ＵＦ排液、ＣＩＰ内容物の移送、再循環、ＣＩＰ溶液の排液及び薬品フラッシングを含めた約２７分である。次の表に、１つの考えられる日常メンテナンス洗浄及びリンスプロセスモード３ａ〜ｂの詳細を示すが、これに代わるものも考えられる。
【００２７】
【表２】
2013503745.tif 000004
モード４ａを示す図１０を参照すると、システムは、ＵＦ月次回収洗浄再循環及びソークモードにある。このモードでは、薬品供給管路２０８を介してタンク２０３の内容物に薬品を添加し、加熱器２０９を用いて流体を加熱することにより、洗浄液をタンク２０３内で作製する。このような薬品として、有機性ファウリングの抑制に役立つ次亜塩素酸ナトリウムと、無機性ファウリングの抑制に役立つクエン酸又はリン酸とが挙げられる。逆洗／ＣＩＰポンプ２１５は、洗浄液をタンク２０３からＵＦ洗浄導管２０７へと導き、ＵＦ洗浄導管２０７は、この洗浄液を上流から下流の方向に沿ってＵＦユニット２０１を介して導いた後に、再びタンク２０３に戻す。このモードの最後に重亜硫酸塩を添加して、あらゆる塩素を除去する。タンク２０３と加熱器２０９は、タンク２０３の内容物を４時間で４０°Ｃ（１０４°Ｆ）に加熱可能な大きさである。このモード中、通常は、ＲＯユニット２０２の運転は停止する。モード４ａの洗浄はモード３ａよりも徹底している。
【００２８】
モード４ａに続いて、システムは、図１１に示すＵＦ月次回収洗浄リンスモード４ｂになる。このモードにおいて、ＵＦ給水ポンプ２１７は、水源２２０の水をＵＦリンス導管２１２を介して送り、ＵＦリンス導管２１２は、水源２２０の水を上流から下流の方向に、前置フィルタ２１６とＵＦユニット２０１とを介してタンク２０３内へと導く。ＵＦユニット２０１とタンク２０３とはいずれも、ＵＦ月次回収洗浄リンスモード時にリンス液を排出するドレン２２１及び２２３を有する。さらに、このリンスモード中、通常は、ＲＯユニット２０２の運転は停止される。
【００２９】
この好適な実施形態では、モード４ａ〜ｂの期間は、ＵＦ排液、ＣＰＩ内容物移送、再循環及びソーク、ＣＩＰ液の排液及び薬品フラッシングを含めた約３１７分である。次の表に、ひとつの考えられる月次回収洗浄再循環、ソーク及びリンスモード４ａ〜ｂの詳細を示すが、これに代わるものも考えられる。
【００３０】
【表３】
2013503745.tif 000005
図１２を参照すると、モード５ａのとき、システムはＲＯ洗浄モードにある。このとき、運転、逆洗、洗浄及びリンスの各導管が閉鎖される。このモードでは、薬品供給管路２０８を介してタンク２０３の内容物に薬品を添加し、タンク浸漬加熱器２０９を用いてこの液体を加熱することにより、タンク２０３内で洗浄液を作製する。ブースター／ＣＩＰポンプ２１４は、洗浄液をタンク２０３からＲＯ導管２１０へと導き、ＲＯ導管２１０はＲＯ高圧ポンプ２１９を介して洗浄液をＲＯユニット２０２内へと導く。ＲＯユニット透過液は、再循環導管２１１を介してタンク２０３に戻され、濃縮液はＲＯ回収ユニット２２２へと導かれる。ＲＯ回収ユニット２２２からの透過液及び濃縮液はいずれも、ＲＯ回収導管２０６を通ってタンク２０３に戻る。
【００３１】
或いは、モード５ａにおいて、ＲＯ高圧ポンプ２１９の運転を停止し、ブースター／ＣＩＰポンプ２１４のみを用いて洗浄液をタンク２０３からＲＯ回収バイパス導管２２５を介してＲＯ回収ユニット２２２へと導くことにより、ＲＯユニット２０２をバイパスしてもよい。ＲＯ回収ユニット２２２の透過液及び濃縮液はいずれも、回収再循環導管２１１通ってタンク２０３に戻る。
【００３２】
モード５ａに続いて、システムは、図１３に示すモード５ｂのＲＯ洗浄リンスモードになる。このとき、水源２２０の水はＵＦ給水ポンプ２１７により前置フィルタ２１６とＵＦユニット２０１とを介して運転導管２０４に沿ってタンク２０３内へとポンプ送りされる。ブースター／ＣＩＰポンプ２１４は、ＵＦ透過液をタンク２０３からＲＯ高圧ポンプ２１９へと導き、ＲＯ高圧ポンプ２１９はＵＦ透過液をＲＯ導管２１０に沿ってＲＯユニット２０２内へと導く。ＲＯユニット透過液は、ＲＯ／ＲＯ回収ドレン２２４へと導かれ、ＲＯユニット濃縮液はＲＯ回収ユニット２２２へと導かれる。ＲＯ回収ユニット透過液及び濃縮液は、ＲＯ／ＲＯ回収ドレン２２４へと導かれる。
【００３３】
代替的に、モード５ｂにおいて、ＲＯ高圧ポンプ２１９の運転を停止し、ブースター／ＣＩＰポンプ２１４のみを用いて、流体をタンク２０３からＲＯ回収バイパス導管２２５を介してＲＯ回収ユニット２２２へと導くことにより、ＲＯユニット２０２をバイパスしてもよい。ＲＯ回収ユニット透過液及び濃縮液は、ＲＯ／ＲＯ回収ドレン２２４へと導かれる。一実施形態では、５ａ及び５ｂに示すＲＯ洗浄モードを約３ヶ月に１回行う。
【００３４】
別の言い方をすれば、流入水が上流から下流の方向に沿って上流のＵＦユニット２０１を通り、下流のＲＯユニット２０２を通って流れる種類の浄水システム２００では、タンク２０３がこのＵＦユニット２０１とＲＯユニット２０２との中間に配置される。運転導管２０４を設けて、ＵＦ透過液をタンク２０３へと導く。ＲＯ導管２１０を設けて、ＵＦ／ＲＯ生産モードにおいてＵＦ透過液をタンク２０３からＲＯユニット２０２へと導く。加えて、タンク２０３とＵＦユニット２０１との間に逆洗導管２０５を設けて、ＵＦ逆洗モード運転において、逆洗又は逆流流体流を下流から上流の方向に、タンク２０３からＵＦユニット２０１を介して導く。逆洗モード時は、必要に応じて、タンク２０３からＲＯユニット２０２を介してＲＯ導管２１０から、透過液の供給を行うことができる。
【００３５】
日常メンテナンス洗浄モードの運転では、ＵＦ洗浄導管２０７がタンク２０３とＵＦユニット２０１との間に設けられ、洗浄液流を上流から下流の方向に沿ってタンク２０３からＵＦユニット２０１に通す。タンク２０３と作用的に連通する薬品供給管路２０８は、タンク２０３に薬品を供給してこの洗浄機能を行うために用いられる。例えば、１つの供給管路を介して次亜塩素酸ナトリウムを供給して有機性ファウリングの抑制を促進しながら、必要に応じて第２の薬品供給管路を介してタンク２０３にクエン酸又はリン酸を供給して無機性ファウリングの低減を促進することができる。日常的なＵＦ洗浄サイクル中は、通常、ＲＯユニット２０２は運転を停止する。この洗浄サイクルでは、さらにＵＦ洗浄導管２０７を用いてタンク２０３からＵＦユニット２０１に洗浄液を再循環させることもできる。
【００３６】
また、ＵＦリンス導管２１２を用いて、ＵＦリンスモード運転においてＵＦユニット２０１を介してリンス液を上流から下流の方向に導いた後、タンク２０３内へと導く。タンク２０３はさらに、ＵＦリンスモード運転時にリンス液を自身から排液するドレン手段２２３を含む。また、このリンスモード中は、ＲＯユニット２０２は通常、運転を停止する。幾つかの実施形態では、運転導管２０４をリンス導管２１２として用いることが考えられる。
【００３７】
また別のモードの運転では、ＲＯユニット２０２を洗浄する。このとき、運転、逆洗、洗浄及びリンスの各導管は閉鎖される。ＲＯ導管２１０を用いて洗浄剤をＲＯユニット２０２に供給する。再循環導管２１１は、ＲＯユニット２０２の下流側生産水出口２２６からタンク２０３まで延在しており、ＲＯ洗浄液をタンク２０３に再循環させる。さらに、ＲＯ回収導管２０６がＲＯの濃縮液出口２１３から延在しており、洗浄液をタンク２０３に戻す。任意のＲＯ回収ユニット２２２を用いる実施形態では、ＲＯ回収ユニット２２２からの透過液及び濃縮液を、ＲＯ回収導管２０６を介してタンク２０３に戻す。通常、最初に行われる洗浄処理が酸洗浄であり、続いてタンク２０３、ＲＯユニット２０２及び任意のＲＯ回収ユニット２２２を介した苛性物質の循環が行われる。
【００３８】
一般に、このようなＲＯユニット２０２は、周期的にすすがれる。このとき、水源２２０の水又は流入水がＵＦユニット２０１を介してタンク２０３にポンプ送りされ、ＲＯ高圧ポンプ２１９を用いることによりＲＯ導管２１０を介してタンク２０３からＲＯユニット２０２内へと流れる。その後、このリンス液は、ＲＯユニット２０２のリンス後にＲＯ／ＲＯ回収ドレン２２４を介して排出される。
【００３９】
上記の具体的な実施形態に関連して本発明を説明したが、当業者には多数の代替、組み合わせ、改変及び変形が想到されることは明らかである。したがって、上記の本発明の好適な実施形態は、あくまでも説明を意図したものでありって、限定の意味はない。本発明の本質及び範囲から逸脱することなく、様々な変更が可能である。したがって、本発明の技術的範囲は、上記の実施形態だけでなく、添付の特許請求の範囲内に含まれるもの全てを包含する。
【００４０】
本明細書では、本発明を最良の形態を含めて開示するとともに、装置又はシステムの製造・使用及び方法の実施を始め、本発明を当業者が実施できるようにするため、例を用いて説明してきた。本発明の特許性を有する範囲は、特許請求の範囲によって規定され、当業者に自明な他の例も包含する。かかる他の例は、特許請求の範囲の文言上の差のない構成要素を有しているか、或いは特許請求の範囲の文言と実質的な差のない均等な構成要素を有していれば、特許請求の範囲に記載された技術的範囲に属する。
【図１】
2013503745.tif 000006
【図２】
2013503745.tif 000007
【図３】
2013503745.tif 000008
【図４】
2013503745.tif 000009
【図５】
2013503745.tif 000010
【図６】
2013503745.tif 000011
【図７】
2013503745.tif 000012
【図８】
2013503745.tif 000013
【図９】
2013503745.tif 000014
【図１０】
2013503745.tif 000015
【図１１】
2013503745.tif 000016
【図１２】
2013503745.tif 000017
【図１３】
2013503745.tif 000018
【国際調査報告】
2013503745.tif 000019
2013503745.tif 000020